(57)【要約】【課題】  グルーミングによって取れたペットの毛を確実に吸い込むことができる電気掃除機用ヘッド及び電気掃除機を提供する。【解決手段】  本発明にかかる電気掃除機用ヘッド１は、第１の開口部２３を有する本体部２と、本体部２を電気掃除機７の吸引管７５に接続する連通管３と、多数のピン５０が固定された固定部４６と、ピン５０が貫通する多数の孔５４が形成された挿通部５２と、切替機構４と、を含む。切替機構４は、挿通部５２が第１の開口部２３を塞いだ第１の状態と、挿通部５２が第１の開口部２３から後退して第１の開口部２３と連通管３とを連通する吸引口６０を形成する第２の状態と、を切り替えることができる。【選択図】図９
2014217460.tif 000002
【特許請求の範囲】
【請求項１】
開口部を有する本体部と、
前記本体部を電気掃除機の吸引管に接続する連通管と、
多数のピンが固定された固定部と、
前記ピンが貫通する多数の孔が形成された挿通部と、
前記挿通部が前記固定部に接触して前記孔から前記ピンが突出した第１の状態と、前記挿通部から前記固定部が離れて前記孔に前記ピンが収容されている第２の状態と、を切り替える切替機構と、
を含み、
前記第１の状態は、前記挿通部が前記開口部に対して前進して前記開口部を塞いだ状態であり、
前記第２の状態は、前記挿通部が前記開口部から後退して前記開口部と前記連通管とを連通する吸引口を形成する状態であることを特徴とする、電気掃除機用ヘッド。
【請求項２】
請求項１において、
前記第２の状態は、前記本体部内に、前記開口部と前記吸引口の２つの開口を有する吸引室を形成することを特徴とする、電気掃除機用ヘッド。
【請求項３】
請求項２において、
前記開口部は、前記本体部の底部に形成され、
前記切替機構は、前記底部と対向する本体部の頂部に切替部を有し、
前記切替部は、前記第１の状態において前記頂部に収容され、前記第２の状態において前記頂部の略中央から突出することを特徴とする、電気掃除機用ヘッド。
【請求項４】
請求項１ないし３のいずれか１項において、
前記開口部は、前記本体部の底部に形成され、
前記切替機構は、前記固定部を前記底部から離れる方向に付勢する付勢部材を有することを特徴とする、電気掃除機用ヘッド。
【請求項５】
請求項１ないし４のいずれか１項において、
前記切替機構は、前記第１の状態から前記第２の状態へと切り替える際に、前記ピンが前記孔から突出したまま前記固定部と前記挿通部を後退移動して前記吸引口を形成し、次に前記挿通部の後退移動を制限した後、さらに前記固定部を前記挿通部から離れるように移動して前記ピンを前記孔に収容することを特徴とする、電気掃除機用ヘッド。
【請求項６】
請求項１ないし５のいずれか１項において、
前記電気掃除機用ヘッドを具備したことを特徴とする、電気掃除機。
【発明の詳細な説明】
【技術分野】
【０００１】
本発明は、電気掃除機用ヘッド及び電気掃除機に関する。
【背景技術】
【０００２】
近年、室内で飼育される犬や猫などのペットが増える傾向があり、これらのペットの毛の手入れも大切な世話のひとつとなっている。ペットの毛の手入れの中でもグルーミング用のブラシとして、ピンブラシ、スリッカーブラシ、コーム、ラバーブラシなどが用いられている。
【０００３】
このようなペットのグルーミング用のブラシとして、例えば、電気掃除機用ヘッドのアタッチメントが提案されている（例えば、特許文献１参照）。
【０００４】
この提案によれば、アタッチメントのブラシでグルーミングをするとともに、グルーミングによって取れたペットの毛をアタッチメントに接続された電気掃除機によって吸い取ることができる。アタッチメントのブラシは、使用者がハンドを把持する押圧力を与え続けている間突出することができ、押圧力を解除することで収容される。したがって、使用者はブラシとして使用する間、押圧力を与え続ける必要があった。また、アタッチメントの使用中は常に電気掃除機を稼働することが前提であり、吸引開口部は開いた状態が維持されていた。
【先行技術文献】
【特許文献】
【０００５】
【特許文献１】特開２０１０−２６９１５２号公報
【発明の概要】
【発明が解決しようとする課題】
【０００６】
本発明の目的は、グルーミングによって取れたペットの毛を確実に吸い込むことができる電気掃除機用ヘッド及び電気掃除機を提供することにある。
【課題を解決するための手段】
【０００７】
本発明にかかる電気掃除機用ヘッドは、
開口部を有する本体部と、
前記本体部を電気掃除機の吸引管に接続する連通管と、
多数のピンが固定された固定部と、
前記ピンが貫通する多数の孔が形成された挿通部と、
前記挿通部が前記固定部に接触して前記孔から前記ピンが突出した第１の状態と、前記挿通部から前記固定部が離れて前記孔に前記ピンが収容されている第２の状態と、を切り替える切替機構と、
を含み、
前記第１の状態は、前記挿通部が前記開口部に対して前進して前記開口部を塞いだ状態であり、
前記第２の状態は、前記挿通部が前記開口部から後退して前記開口部と前記連通管とを連通する吸引口を形成する状態であることを特徴とする。
【０００８】
本発明の電気掃除機用ヘッドによれば、第１の状態でピンを孔から突出させることでブラシとして用いることができ、第２の状態で吸引口を形成すると共にピンを孔に収容することで電気掃除機の吸引力によって第１の状態でピンに絡みついたペットの毛などを容易
に、しかも確実に本体部から取り除くことができる。
【０００９】
本発明にかかる電気掃除機用ヘッドにおいて、
前記第２の状態は、前記本体部内に、前記開口部と前記吸引口の２つの開口を有する吸引室を形成することができる。
【００１０】
本発明にかかる電気掃除機用ヘッドによれば、電気掃除機によって吸引室にあるペットの毛などを確実に取り除くことができる。しかも、開口部を床や手の平などに近づける又は押し付けることで、吸引室内の掃除機による吸引力を高めることができ、吸引室内にあるペットの毛などを確実に取り除くことができる。
【００１１】
本発明にかかる電気掃除機用ヘッドにおいて、
前記開口部は、前記本体部の底部に形成され、
前記切替機構は、前記底部と対向する前記本体部の頂部に切替部を有し、
前記切替部は、前記第１の状態において前記頂部に収容され、前記第２の状態において前記頂部の略中央から突出することができる。
【００１２】
本発明にかかる電気掃除機用ヘッドによれば、切替部が本体部の頂部から突出することによって、本体部内が第１の状態にあるのか第２の状態にあるのかを使用者が視覚的に容易に判断することができる。
【００１３】
本発明にかかる電気掃除機用ヘッドにおいて、
前記開口部は、前記本体部の底部に形成され、
前記切替機構は、前記固定部を前記底部から離れる方向に付勢する付勢部材を有することができる。
【００１４】
本発明にかかる電気掃除機用ヘッドによれば、第１の状態から第２の状態に切り替える際に、固定部が付勢部材によって自動的に底部から離れるように移動することができるので、すばやく開口部を開口することができる。また、開口部を素早く開口することによって、ピンが穴に収容されて集められた毛などが脱落することを防止できる。
【００１５】
本発明にかかる電気掃除機用ヘッドにおいて、
前記切替機構は、前記第１の状態から前記第２の状態へと切り替える際に、前記ピンが前記孔から突出したまま前記固定部と前記挿通部を後退移動して前記吸引口を形成し、次に前記挿通部の後退移動を制限した後、さらに前記固定部を前記挿通部から離れるように移動して前記ピンを前記孔に収容することができる。
【００１６】
本発明にかかる電気掃除機用ヘッドによれば、ピンを突出したまま後退移動することで、吸引口が形成されるまでピンに絡みついたペットの毛などをピンから脱落することなく移動させることができる。
【００１７】
本発明にかかる電気掃除機は、前記電気掃除機用ヘッドを具備したことを特徴とする。
【００１８】
本発明の電気掃除機によれば、電気掃除機用ヘッドによってペットのブラッシングをすることができると共に、電気掃除機用ヘッドによって集められたペットの毛を吸引口から確実に取り除くことができる。
【図面の簡単な説明】
【００１９】
【図１】本発明の一実施形態にかかる電気掃除機用ヘッドであって、第１の状態を示す斜視図である。
【図２】本発明の一実施形態にかかる電気掃除機用ヘッドであって、第１の状態における本体部の底部を示す斜視図である。
【図３】本発明の一実施形態にかかる電気掃除機用ヘッドであって、第３の状態を示す斜視図である。
【図４】本発明の一実施形態にかかる電気掃除機用ヘッドであって、第３の状態における本体部の底部を示す斜視図である。
【図５】本発明の一実施形態にかかる電気掃除機用ヘッドであって、第２の状態を示す斜視図である。
【図６】本発明の一実施形態にかかる電気掃除機用ヘッドであって、第２の状態における本体部の底部を示す斜視図である。
【図７】本発明の一実施形態にかかる電気掃除機用ヘッドの第１の状態を示す右側方から見た縦断面図である。
【図８】本発明の一実施形態にかかる電気掃除機用ヘッドの第３の状態を示す右側方から見た縦断面図である。
【図９】本発明の一実施形態にかかる電気掃除機用ヘッドの第２の状態を示す右側方から見た縦断面図である。
【図１０】本発明の一実施形態にかかる電気掃除機用ヘッドの第２の状態を示す正面から見た縦断面図である。
【図１１】本発明の一実施形態にかかる電気掃除機を示す斜視図である。
【発明を実施するための形態】
【００２０】
以下、本発明の実施の形態について図面を参照しながら詳細に説明する。
【００２１】
本発明の一実施の形態にかかる電気掃除機用ヘッドは、開口部を有する本体部と、前記本体部を電気掃除機の吸引管に接続する連通管と、多数のピンが固定された固定部と、前記ピンが貫通する多数の孔が形成された挿通部と、前記挿通部が前記固定部に接触して前記孔から前記ピンが突出した第１の状態と、前記挿通部から前記固定部が離れて前記孔に前記ピンが収容されている第２の状態と、を切り替える切替機構と、を含み、前記第１の状態は、前記挿通部が前記開口部に対して前進して前記開口部を塞いだ状態であり、前記第２の状態は、前記挿通部が前記開口部から後退して前記開口部と前記連通管とを連通する吸引口を形成する状態であることを特徴とする。
【００２２】
また、本発明の一実施の形態にかかる電気掃除機は、前記電気掃除機用ヘッドを具備したことを特徴とする。
【００２３】
図１は、本発明の一実施形態にかかる電気掃除機用ヘッド１であって、第１の状態を示す頂部２９側から見た斜視図である。図２は、本発明の一実施形態にかかる電気掃除機用ヘッド１であって、第１の状態における本体部２の底部２２を示す斜視図である。図３は、本発明の一実施形態にかかる電気掃除機用ヘッド１であって、第３の状態を示す頂部２９側から見た斜視図である。図４は、本発明の一実施形態にかかる電気掃除機用ヘッド１であって、第３の状態における本体部２の底部２２を示す斜視図である。図５は、本発明の一実施形態にかかる電気掃除機用ヘッド１であって、第２の状態を示す頂部２９側から見た斜視図である。図６は、本発明の一実施形態にかかる電気掃除機用ヘッド１であって、第２の状態における本体部２の底部２２を示す斜視図である。なお、特に断らない限り、頂部２９側を上方、底部２２側を下方とし、連通管３側を後方、連通管３と対向する電気掃除機用ヘッド１の正面側を前方と呼ぶ。
【００２４】
図１及び図２に示すように、第１の状態にある電気掃除機用ヘッド１（以下、単に「ヘッド」という。）は、第１の開口部２３を有する本体部２と、本体部２を電気掃除機７０（図１１に示す。）の吸引管７５に接続する連通管３と、を有する。
【００２５】
本体部２は、上方から見て略円形であり、後方から連通管３が突出する。本体部２は、上面に略円形で平坦な頂部２９が形成され、下面に略円形で環状の底部２２が形成される。
【００２６】
本体部２は、頂部２９に切替機構４の切替部４０を有し、切替部４０は矢印Ａの方向にスライドして移動することができるスライダ４１を有する。
【００２７】
底部２２は、第１の開口部２３の周囲に形成された略平坦な環状の面である。底部２２に囲まれた第１の開口部２３には、挿通部５２の略平坦な下面から下方に向けて多数のピン５０が突出するブラシ部５が形成されている。
【００２８】
第１の状態において、電気掃除機用ヘッド１は、下方にブラシ部５を有する略円形のブラシ状の形態であり、この状態でペット例えば犬などのグルーミングまたはブラッシングを行うことができる。電気掃除機用ヘッド１の形態は、ブラシの形状として違和感がないので、使用者になじみやすい。
【００２９】
連通管３は、第１の状態で電気掃除機７に接続しなくてもグルーミングまたはブラッシングを行うことができる。例えば、電気掃除機用ヘッド１を電気掃除機７０に接続した場合には、本体部２の前方に開口する多数のスリット２７から本体部２内へ外気を導入しつつ本体部２内を減圧状態とすることができる。この場合、例えば、後述する孔５４とピン５０との間に隙間があれば、挿通部５２の下面に吸引力が発生し、ブラッシングによって集めた毛などをブラシ部５に保持することができる。なお、本実施の形態においては、そのような隙間を設けていないので、第１の状態において挿通部５２の下面には吸引力が発生していない。
【００３０】
底部２２は、第１の開口部２３に向けて内側に突出する円弧状のスプリング収容部２０を有する。したがって、第１の開口部２３の開口形状は、３箇所に突出するスプリング収容部２０によって完全な円形あるいは楕円形ではない。挿通部５２の外周形状は、第１の開口部２３の開口形状に沿って形成されており、スプリング収容部２０の突出した円弧状の形状に合わせて内側に切り欠かれるように円弧状の切り欠きが形成されている。スプリング収容部２０の詳細については後述する。
【００３１】
図３及び図４は、図１及び図２で説明した第１の状態から図５及び図６で後述する第２の状態へ切り替える途中の第３の状態を示す。ここでは説明のために第３の状態を示すが、実際には、第３の状態で停止することはなく、第１の状態から第２の状態へ移行する途中の瞬間的な状態である。
【００３２】
第１の状態から第３の状態への切り替えは、切替部４０のスライダ４１を矢印Ａに沿って前方へスライドさせ、スライダ４１と本体部２との係合を解除することでおこなうことができる。切替部４０の構造の詳細については、後述する。スライダ４１と本体部２との係合が解除されると、切替部４０は本体部２の上方に突出するように上昇移動することができ、本体部２の下方ではブラシ部５が本体部２内へ引き込まれるようにして上昇移動することができる。
【００３３】
第３の状態では、第１の状態において挿通部５２によって塞がれていた第１の開口部２３が開口すると共に、連通管３側には吸引口６０が開口する。そして、本体部２の内側に、下方に向けて第１の開口部２３が開口した吸引室６が形成される。吸引室６は、底面が挿通部５２の下面であり、本体部２の内壁２５によって周囲が囲まれ、内壁２５の連通管３側に吸引口６０が開口している。
【００３４】
また、第３の状態では、ブラシ部５は多数のピン５０が挿通部５２の下面から突出したブラシ状の形態のままであり、ピン５０に絡みついた毛を保持したまま吸引室６内に引き込むことができる。また、このとき連通管３を電気掃除機７に接続して吸引することによって、ピン５０に絡みついた毛を脱落することなく吸引室６内に吸引することができる。
【００３５】
スプリング収容部２０は、内壁２５から吸引室６側に向かって突出し、底部２２から頂部２９側へ延びている。挿通部５２は、スプリング収容部２０の外壁部に案内されるように上下方向に移動することができる。したがって、第１の状態におけるブラッシングの作業においても、また、第１の状態から第３の状態に移行する際においても、挿通部５２はスプリング収容部２０の外壁部によって案内されるので、水平方向にぐらつきがなく、安定している。
【００３６】
図５及び図６に示すように、第２の状態においては、切替部４０が本体部２の頂部２９に形成された第２の開口部２４から上方に突出している。また、本体部２の下方には底部２２から陥没した凹部の吸引室６が形成される。
【００３７】
吸引室６は、ブラシ部５のピン５０がなくなり、平坦な挿通部５２の下面と、本体部２の内壁２５とによって形成された空間を有し、吸引室６内に引き込まれた毛などを吸引口６０から電気掃除機７に容易に吸い込むことができる。特に、吸引室６は、内壁２５によって周囲を囲まれているため、吸引室６内における集塵能力を高めることができる。底部２２を例えば床や手の平などの比較的平坦な部分に近づけまたは押し付けながら吸引すれば、吸引力を高めることができ、吸引室６内の高い集塵能力を得ることができる。底部２２は第１の開口部２３を囲むように環状に形成されているため、例えば床面などとの間に密閉度の高い空間（吸引室６）を形成することができる。
【００３８】
このように、第１の状態から第３の状態へ切り替えを行う際に、ブラシ部５を床面などに押し付けながら行うと、ブラシ部５に毛などが絡みついたまま吸引室６内へ引き込むことができ、さらに、ブラシ部５が本体部２の内側へ引き込まれることによって床面と底部２２との間の隙間は徐々に小さくなって吸引力はさらに高くなり、ブラシ部５で集めた毛を確実に吸引室６に集めると共に、吸引口６０から吸い込むことができる。
【００３９】
次に、図７〜図１０を用いて、電気掃除機用ヘッド１の構造について詳細に説明する。
【００４０】
図７は、本発明の一実施形態にかかる電気掃除機用ヘッド１の第１の状態を示す右側方から見た縦断面図である。図８は、本発明の一実施形態にかかる電気掃除機用ヘッド１の第３の状態を示す右側方から見た縦断面図である。図９は、本発明の一実施形態にかかる電気掃除機用ヘッド１の第２の状態を示す右側方から見た縦断面図である。図１０は、本発明の一実施形態にかかる電気掃除機用ヘッド１の第２の状態を示す正面から見た縦断面図である。
【００４１】
図７に示すように、第１の状態は、挿通部５２が固定部４６に接触して挿通部５２に形成された孔５４からピン５０が突出した状態である。そして、本体部２の中には、第１の開口部２３を塞ぐ挿通部５２と、その挿通部５２の上に重ねて配置された固定部４６と、を有する。第１の状態において、多数のピン５０を下方から突出させることで本体部２をグルーミング用のブラシとして用いることができる。
【００４２】
固定部４６は、多数のピン５０の一方の端部を固定する。ピン５０は、金属製例えばステンレスの棒であって、固定部４６の下面から突出するように一方の端部を固定される。ピン５０は、例えば、ピン５０の一端に形成されたフランジ部を２枚の板部材で挟み込む
ようにして固定されている。固定部４６は、ピン５０が固定された挿通部５２の上面に接触する下面を有し、その下面の周囲には磁石４９と第２のスプリング４７とが固定されている。図では磁石４９と第２のスプリング４７は１つずつ記載されているだけであるが、下面の周囲に３個ずつバランスよく配置されている。
【００４３】
磁石４９は、固定部４６の下面であって、挿通部５２の上面に設けられた３個金属板５９と対向する位置に固定されている。そして、第１の状態において、磁石４９は金属板５９と吸着し、固定部４６と挿通部５２とは一体となって動作することができる。
【００４４】
第２のスプリング４７は、本体部２の周囲３箇所に形成されたスプリング収容部２０の中に配置され、本体部２の底部２２の内側面と固定部４６の下面との間に配置されている。第２のスプリング４７は、切替機構４の一部であって、固定部４６を底部２２から離れる方向に付勢する付勢部材である。第１の状態において、第２のスプリング４７は圧縮されており、本体部２の底部２２から離れる方向に固定部４６を常時付勢している。第２のスプリング４７を設けることによって、第１の状態から第２の状態に切り替える際に、固定部４６を自動的に底部２２から離れさせ、すばやく第１の開口部２３および吸引口６０を開口することができる。
【００４５】
挿通部５２は、ピン５０が貫通する孔５４が多数形成されている。孔５４は、挿通部５２の上面から下面へ貫通し、固定部４６に設けられたピン５０と同じ数、同じ配置で形成されている。孔５４の直径は、ピン５０が挿通可能な程度であればよく、好ましくは、第２の状態において孔５４とピン５０との摩擦力で挿通部５２を保持できる程度の大きさに形成されている。ブラッシングの最中も電気掃除機７の吸引力で挿通部５２の下面に毛を保持させたい場合には、孔５４とピン５０との間にわずかな隙間を設けることもできるし、ピン５０のない部分に小さな孔をさらに設けることもできる。
【００４６】
切替機構４は、挿通部５２が第１の開口部２３に対して前進して第１の開口部２３を塞いだ第１の状態と、挿通部５２が第１の開口部２３から後退して第１の開口部２３と連通管３とを連通する吸引口６０を形成する第２の状態と、を切り替えることができる。切替機構４は、頂部２９に設けられた切替部４０と、固定部４６を上方へ付勢する第２のスプリング４７と、を含むことができる。切替部４０は固定部４６を第１の状態で保持するための機構であり、第２のスプリング４７は固定部４６を図９で後述する第２の状態で保持するための機構である。切替部４０は、第１の状態において底部２２と対向する本体部２の頂部２９に収容されている。また、図８で説明する第３の状態で固定部４６と挿通部５２とを一体に保持するための磁石４９及び金属板５９も切替機構４に含むことができる。
【００４７】
切替部４０は、頂部２９の上にあって矢印Ａ方向にスライド可能なスライダ４１と、頂部２９に開口する第２の開口部２４内にあってスライダ４１に設けられた係合部４４と、スライダ４１を常時矢印Ａの方向と反対の方向へ付勢する第１のスプリング４５と、を有する。スライダ４１は、使用者が切替機構４を操作する操作部である。また、図１０に示すように、スライダ４１は、固定部４６の上面から上方に延びる筒部４２の上端付近のガイド孔４３ａに案内されて矢印Ａ方向にスライド可能な係止片４３ｂを有する。なお、筒部４２は、固定部４６と一体であり、スライダ４１の下面まで延在する。第１の状態では、係合部４４が本体部２の頂部２９の下面であって第２の開口部２４の下方に形成された被係合部２１と係合してスライダ４１を頂部２９に対して固定し、固定部４６の上方への移動を制限している。
【００４８】
図８に示すように、第３の状態は、磁石４９と金属板５９の吸着力によって固定部４６と挿通部５２とが密着して一体化したまま上昇している。第１の状態から第３の状態へは、スライダ４１を矢印Ａの方向にスライドさせて係合部４４を被係合部２１から外すと、
第２のスプリング４７の付勢力によって筒部４２が頂部２９の第２の開口部２４から上方へ向けて移動すると共に、筒部４２と一体の固定部４６及び固定部４６と一体の挿通部５２も上方へ向けて移動することによって実施される。
【００４９】
挿通部５２の上端は、固定部４６の上端よりも上方にある第１の被係止部５６であり、本体部２の内側に突出する第１の係止部２６の下面と接触して上方への移動が制限される。第１の被係止部５６が第１の係止部２６と接触することで挿通部５２の上方への移動が止まる。そして、固定部４６は、第２のスプリング４７によって上方へと付勢されているので、磁石４９と金属板５９との吸着力を超えてさらに上方へ移動することができる。
【００５０】
挿通部５２の下方には、吸引室６が形成される。第３の状態では、ブラシ部５はブラシ状の形態を有しているので、吸引室６内にはピン５０が多数存在している。吸引室６の連通管３側には吸引口６０が開口し、吸引室６と連通管３とを連通させる。本体部２と連通管３との間の本体部２の内側には、頂部２９側から下方に延びる封止壁３０が形成されている。封止壁３０と挿通部５２の第１の被係止部５６とによって固定部４６の上方の空間と連通管３とが閉鎖されるため、吸引室６から連通管３への吸込み気流を十分に得ることができる。
【００５１】
図９及び図１０に示すように、第２の状態は、挿通部５２から固定部４６が離れて孔５４にピン５０が収容されている状態である。第２の状態において、吸引口６０を形成すると共にピン５０を孔５４に収容することで、電気掃除機７によって第１の状態でピン５０に絡みついたペットの毛などを容易に、しかも確実に本体部２内から取り除くことができる。
【００５２】
固定部４６の上方への移動は、固定部４６の上部にある第２の被係止部４８が本体部２の頂部２９側の内壁から下方へ突出する第２の係止部２８に接触して停止している。第１の開口部２３は、本体部２の底部２２に形成されているため、第２の状態を上から見るとブラシ部５の状態は判別できないが、固定部４６の上面に設けられた切替機構４の切替部４０が頂部２９の略中央から突出するため、第２の状態にあることを使用者が視覚的に容易に判断することができる。
【００５３】
切替機構４は、第２の状態を保持するための機構すなわち固定部４６の上昇移動を制限するという機能として、本体部２の第２の係止部２８と、固定部４６の第１の被係止部５６と、を含むことができる。したがって、切替機構４は、第１の状態から第２の状態へと切り替える際に、ピン５０が孔５４から突出したまま固定部４６と挿通部５２を後退移動させ、さらに挿通部５２の後退移動を第１の係止部２６によって制限した後、固定部４６を挿通部５２から離れるように移動してピン５０を孔５４に収容した状態で第２の係止部２８によって停止させる。
【００５４】
このようにすることで、ピン５０を挿通部５２から突出したまま後退移動することができるので、吸引室６及び吸引口６０が形成されるまでピン５０に絡みついたペットの毛などをピン５０から脱落することなく吸引室６内に移動させることができる。
【００５５】
本体部２内に、第１の開口部２３と吸引口６０の２つの開口を有する吸引室６が形成される。第２の状態では、ブラシ部５がブラシとしての態様に形成されていないので、吸引室６は本体部２の内壁２５と挿通部５２の下面とによって形成された吸引室６の空間は集塵のために邪魔になるものが無い。孔５４は、ピン５０によって塞がれ、かつ、ピン５０が突出せずに孔５４内に収容されている。すなわち、ピン５０は、その先端が孔５４内にあって、挿通部５２の下面と固定部４６との間に保持される。
【００５６】
このようにすることで、電気掃除機７０によって吸引室６にあるペットの毛などを確実に取り除くことができる。例えば、第１の開口部２３を床や手の平などに近づけ又は押し付けることで、吸引室６が密閉され、電気掃除機７による吸引力を高めることができ、吸引室６にあるペットの毛などを確実に取り除くことができる。
【００５７】
第２の状態において、挿通部５２は、ピン５０と孔５４との摩擦で底部２２の上方に離間されて配置している。第２の状態において、挿通部５２が底部２２との距離を維持するため、固定部４６と挿通部５２との最大間隔を保つ移動制限機構を有することができる。例えば、固定部４６と挿通部５２との間に挿通部５２が固定部４６から離れる方向へ移動することだけを制限するストッパを設けることができる。
【００５８】
図１１は、本発明の一実施形態にかかる電気掃除機７０を示す斜視図である。
【００５９】
図１１に示すように、電気掃除機７０は、電気掃除機用ヘッド１を具備したことを特徴とする。電気掃除機用ヘッド１は電気掃除機７０に、例えば、吸引管７５としての蛇腹状のホース７２及び剛性のある合成樹脂製の延長管７３を介して接続される。ホース７２および延長管７３は内部が中空になっており、電気掃除機７０の内部に配置されている図示しない電動送風機によって内部の空気が吸気、排出されることにより負圧がかかることで吸引管７５内に吸込気流を発生させることができる。
【００６０】
次に動作について説明する。ハンドル部７４に設けられた図示しない操作スイッチによって電気掃除機７０を運転することにより電動送風機が動き、電動送風機の前方の空気を吸気し、後方に排出することにより真空状態になり負圧がかかることで吸込気流を発生させる。この負圧は吸引管７５としてのホース７２、延長管７３を通じて電気掃除機用ヘッド１に伝えられる。このようにして発生した負圧は、電気掃除機用ヘッド１では吸込気流となり挿通部５２の下面及び吸引室６に集められたペットの毛などを吸引することができる。
【００６１】
電気掃除機用ヘッド１における負圧は、第１の開口部２３から吸引室６、吸引口６０、連通管３へ伝達される。このように、電気掃除機用ヘッド１を装着した電気掃除機７０は、ブラシ部５によって掻き取られたペットの毛などに対して優れた吸込力を有することができる。
【００６２】
なお、上記のように本発明の実施の形態について詳細に説明したが、本発明の新規事項及び効果から実体的に逸脱しない多くの変形が可能であることは当業者には容易に理解できよう。
【符号の説明】
【００６３】
１  電気掃除機用ヘッド、２  本体部、３  連通管、４  切替機構、５  ブラシ部、６  吸引室、２０  スプリング収容部、２１  被係合部、２２  底部、２３  第１の開口部、２４  第２の開口部、２５  内壁、２６  第１の係止部、２７  スリット、２８  第２の係止部、３０  封止壁、４０  切替部、４１  スライダ、４２  筒部、４３ａ  ガイド孔、４３ｂ  係止片、４４係合部、４５  第１のスプリング、４６  固定部、４７  第２のスプリング、４８  第２の被係止部、４９  磁石、５０  ピン、５２  挿通部、５４  孔、５６  第１の被係止部、５９  金属板、６０  吸引口、７０  電気掃除機、７１  電気掃除機本体、７２  ホース、７３  延長管、７４  ハンドル、７５  吸引管、７６  接続部
【図１】
2014217460.tif 000003
【図２】
2014217460.tif 000004
【図３】
2014217460.tif 000005
【図４】
2014217460.tif 000006
【図５】
2014217460.tif 000007
【図６】
2014217460.tif 000008
【図７】
2014217460.tif 000009
【図８】
2014217460.tif 000010
【図９】
2014217460.tif 000011
【図１０】
2014217460.tif 000012
【図１１】
2014217460.tif 000013